(57)【要約】【課題】複数の点状光源からの光を入射する導光板を備えた面光源装置において、輝線の発生を抑制するとともに点状光源から導光板に入射された入射光の利用率を高める。【解決手段】導光板14は、入射光を拡散させる導入部18と、導入部18に連続して形成されるとともに出射面19の反対側に形成された反射部20を有する板状の採光部21とを備えている。出射面19には採光部21の仮想端面21ａと直交する方向に延び、頂角が１３５度〜１５０度のプリズム状の突条27が複数設けられている。導入部18は、光の入射側から採光部21側に向かって拡がる対称形状に形成されるとともにその両側面と仮想端面21ａ端面21ａと直交する面との成す角度が15度〜45度に形成されている。導入部18には、導光板14の厚さ方向に延びる複数のＶ溝22ｂが形成され、Ｖ溝22ｂは頂角αが60度〜90度、開放端の幅Ｍと隣接するＶ溝22ｂのピッチＰとの比Ｍ／Ｐが 0.3〜 0.7に形成されている。【選択図】      図１
2005347208.tif 000002
【特許請求の範囲】
【請求項１】
複数の点状光源から出射された光を入射するとともに、面状に変換して出射する導光板を備えた面光源装置であって、
前記導光板は、入射された光を拡散させる導入部と、前記導入部に連続して形成され、前記導入部から導入された光を出射する出射面及び出射面の反対側に形成された反射部を有する板状の採光部とを備え、前記出射面には前記採光部の導入部側の仮想端面と直交する方向に延びるとともに頂角が１３５度〜１５０度のプリズム状の突条が複数設けられ、前記導入部は、光の入射側から前記採光部側に向かって拡がる対称形状に形成されるとともにその両側面が前記仮想端面と直交する面との成す角度が１５度〜４５度に形成され、前記導入部の前記点状光源と対向する面には導光板の厚さ方向に延びる複数のＶ溝が形成され、前記Ｖ溝は頂角が６０度〜９０度、開放端の幅Ｍと隣接するＶ溝のピッチＰとの比Ｍ／Ｐが０．３〜０．７に形成されている面光源装置。
【請求項２】
前記比Ｍ／Ｐは０．５〜０．７に形成されている請求項１に記載の面光源装置。
【請求項３】
前記プリズム状の突条は前記採光部と別体に形成されたプリズムシートで構成されている請求項１又は請求項２に記載の面光源装置。
【請求項４】
前記採光部は前記プリズム状の突条が一体に形成されている請求項１又は請求項２に記載の面光源装置。
【発明の詳細な説明】
【技術分野】
【０００１】
本発明は、面光源装置に係り、詳しくはＬＥＤ（発光ダイオード）等の点状光源からの出射光を入射して面状に出射する面光源装置に関する。
【背景技術】
【０００２】
液晶表示装置として液晶表示パネル（液晶パネル）の背面（表示面と反対側の面）に面光源装置をバックライトとして配置したものがある。この種の面光源装置として、ＬＥＤが導光板の端面と対向して配置され、導光板の表面（液晶パネルと対向する側の面）から光が面状に出射されるエッジライト方式（サイドライト型）の装置が提案されている。１個又は少ない数のＬＥＤを使用して導光板から光を均一な面状で出射させる方法としては、導光板の採光手段としての拡散ドットと拡散シートで拡散させることによって指向性を緩和し、プリズムシートで集光して必要な輝度を得る方法がある。散乱ドットは、輝度の均一性を図るために、その密度分布を変化させて形成されている。しかし、ＬＥＤは指向性が強いため、輝線、明部、暗部などが生じやすい。
【０００３】
また、ＬＥＤ等の点状光源を使用した場合に、入射面近傍で輝度ムラが発生するのを抑制するため、導光板の点状光源に対向する領域に、出射面から裏面に延びる（導光板の厚さ方向に延びる）複数の溝を設けた面光源装置が提案されている（例えば、特許文献１参照。）。特許文献１に記載の面光源装置は、図９に示すように、導光板６１と、点状光源としてのＬＥＤ６２とを備えている。導光板６１のＬＥＤ６２と対向する端面には、光出射面６３から裏面（光出射面６３と反対側の面）に延びる複数の溝６４が設けられている。溝６４はＬＥＤ６２の中心軸と直交する面に対して傾いた平面又は曲面により形成された一対の斜面６４ａ，６４ｂを曲面６４ｃにより滑らかに接続して形成されている。
【特許文献１】特開平１０−２９３２０２号公報（明細書の段落［００２４］〜［００３０］、図１）
【発明の開示】
【発明が解決しようとする課題】
【０００４】
ところが、拡散ドットは導光板の出射面からの出射光の集光性を弱くする。また、特許文献１のように、入射面に導光板の厚さ方向に延びる複数の溝を設けることにより、入射面近傍の輝度ムラを低減させることはできる。しかし、面光源として高輝度化を図ろうとすると輝線が発生し易い。
【０００５】
本発明は前記の問題に鑑みてなされたものであって、その目的は複数の点状光源から出射された光を入射するとともに、面状に変換して出射する導光板を備えた面光源装置において、輝線の発生を抑制するとともに点状光源から導光板に入射された入射光の利用率を高めることができる面光源装置を提供することにある。
【課題を解決するための手段】
【０００６】
前記の目的を達成するため、請求項１に記載の発明は、複数の点状光源から出射された光を入射するとともに、面状に変換して出射する導光板を備えた面光源装置である。前記導光板は、入射された光を拡散させる導入部と、前記導入部に連続して形成され、前記導入部から導入された光を出射する出射面及び出射面の反対側に形成された反射部を有する板状の採光部とを備えている。前記出射面には前記採光部の導入部側の仮想端面と直交する方向に延びるとともに頂角が１３５度〜１５０度のプリズム状の突条が複数設けられている。前記導入部は、光の入射側から前記採光部側に向かって拡がる対称形状に形成されるとともにその両側面が前記仮想端面と直交する面との成す角度が１５度〜４５度に形成されている。また、前記導入部の前記点状光源と対向する面には、導光板の厚さ方向に延びる複数のＶ溝が形成され、前記Ｖ溝は頂角が６０度〜９０度、開放端の幅Ｍと隣接するＶ溝のピッチＰとの比Ｍ／Ｐが０．３〜０．７に形成されている。ここで、「プリズム状の突条」とは、断面三角形のプリズムだけでなく、断面三角形のプリズムの二つの斜面の基部側が曲面に形成された形状や、断面三角形のプリズムの頂角の部分が曲面に形成された形状あるいは前記二つの斜面全体が曲面で構成されているものも含む。
【０００７】
この発明では、点状光源から出射され、導光板の端面から入射された光は、導光板内を前記端面と反対側の端面に向かって導波される間に採光面で反射して、出射面に向かってその進行方向が変更される。そして、出射面に設けられたプリズム状の突条を経て出射される。従って、拡散ドットを使用して点状光源から出射された光の指向性を緩和する構成に比較して、出射面からの出射光の集光性が高められる。また、点状光源からの光が、導入部によって拡散されるため、導光板全体に光を導波させることが容易になる。そして、複数の点状光源の間と対応する箇所に暗部ができたり、逆に点状光源の正面に明部ができたりすることが抑制され、導光板から出射される光の点状光源近傍に発生する輝度ムラが低減する。そして、プリズム状の突条の頂角の値及び導入部の形状を前記のように特定することにより、複数の点状光源から出射された光を入射するとともに、面状に変換して出射する導光板を備えた面光源装置において、輝線の発生を抑制するとともに点状光源から導光板に入射された入射光の利用率を高めることができる。
【０００８】
請求項２に記載の発明は、請求項１に記載の発明において、前記比Ｍ／Ｐは０．５〜０．７に形成されている。この発明では、輝線が目立たずに輝度を高めるのが容易になる。
請求項３に記載の発明は、請求項１又は請求項２に記載の発明において、前記プリズム状の突条は前記採光部と別体に形成されたプリズムシートで構成されている。この発明では、プリズム状の突条を導光板の出射面に直接形成する場合に比較して、導光板を射出成形等で製造するための金型の構造が簡単になり、導光板の製造が容易になる。
【０００９】
請求項４に記載の発明は、請求項１又は請求項２に記載の発明において、前記採光部は前記プリズム状の突条が一体に形成されている。この発明では、プリズムシートを用いる必要がないため、面光源装置を構成する部品点数が少なくなって、組立工数を低減できる。
【発明の効果】
【００１０】
本発明によれば、複数の点状光源から出射された光を入射するとともに、面状に変換して出射する導光板を備えた面光源装置において、輝線の発生を抑制するとともに点状光源から導光板に入射された入射光の利用率を高めることができる。
【発明を実施するための最良の形態】
【００１１】
以下、本発明を液晶表示装置のサイドライト型のバックライトに使用される面光源装置に具体化した一実施形態を図１〜図７に従って説明する。図１（ａ）は導光板と点状光源の関係を示す模式斜視図、（ｂ）は導入部と点状光源の関係を示す模式平面図、（ｃ）は液晶表示装置の模式図、図２（ａ）は導光板の模式平面図、（ｂ）は模式側面図、（ｃ）は採光部の部分模式側面図である。
【００１２】
図１（ｃ）に示すように、液晶表示装置１１は、液晶パネル１２と、その背面（表示面と反対側の面）側に配置されたバックライトとしての面光源装置１３とを備えている。面光源装置１３は、導光板１４と、導光板１４の一方の（入射側の）端部と対向する位置に配置された複数の点状光源１５とを備えている。点状光源１５としてはＬＥＤ（発光ダイオード）が使用されている。
【００１３】
面光源装置１３には、導光板１４を挟んで液晶パネル１２と反対側に位置し、導光板１４から漏れた光を導光板１４に戻して出射光として利用するための反射部材（反射シート）１６が設けられている。また、導光板１４と液晶パネル１２との間には、拡散シート１７が配置されている。
【００１４】
次に導光板１４について詳細に説明する。導光板１４は透明性の高い材料、例えばアクリル樹脂で形成されている。図１（ａ），（ｂ）に示すように、導光板１４は、点状光源１５から入射された光を拡散させる導入部１８と、導入部１８に連続して形成され、導入部１８から導入された光を面状に出射する出射面１９及び出射面１９の反対側に形成された反射部２０を有する板状の採光部２１とを備えている。
【００１５】
導入部１８は複数（図１（ａ）では４個図示）隣接して形成されている。導入部１８は、入射部２２及び反射部２３を備えている。導入部１８は、光の入射側から導光板１４の採光部２１側に向かって拡がる対称形状に形成されるとともに、入射側端部の幅Ｗ１（図１（ｂ）における左右方向の長さ）が点状光源１５の幅よりも大きく形成されている。入射部２２は、点状光源１５と対向するとともに、導入部１８の幅方向に延びる面２４と平行な平面２２ａと、点状光源１５からの光を拡散させる拡散部としてのＶ溝２２ｂとが交互に等間隔で繰り返すように構成されている。Ｖ溝２２ｂは、開放端の幅Ｍと、Ｖ溝２２ｂのピッチＰとの比Ｍ／Ｐが０．３〜０．７、好ましくは０．５〜０．７で、頂角αが６０度〜９０度の範囲の所定の値となるように形成されている。
【００１６】
反射部２３は、導入部１８の両側面で構成され、Ｖ溝２２ｂで拡散された光を採光部２１に向けて反射するように形成されている。反射部２３は平面状であり、反射部２３と導入部１８の幅方向に延びる面２４と直交する面とのなす角度γの値が１５度〜４５度の範囲の所定の値となるように形成されている。
【００１７】
採光部２１はほぼ四角板状に形成され、導入部１８から入射された光を出射する出射面１９と、出射面１９の反対側の裏面に形成された反射部２０とを有する。反射部２０は、採光部２１の導入部１８側の仮想端面２１ａ（図１（ｂ），（ｃ）に図示）に沿って延びるように形成された複数の平行な溝２６により構成されている。なお、図１（ｂ）においては仮想端面２１ａが面２４と一致している。
【００１８】
溝２６は、仮想端面２１ａ側から対向面２１ｂ側に向かって上昇傾斜する採光面２６ａと、仮想端面２１ａ側から対向面２１ｂ側に向かって下降傾斜する傾斜面２６ｂとが交互に連なるように設けられている。即ち、各溝２６は仮想端面２１ａと直交する平面による断面形状が鋸歯状となるように隣接して形成されている。各溝２６は同一形状に形成されている。
【００１９】
採光面２６ａは、導入部１８から採光部２１に入射され、採光面２６ａに到達した光を、出射面１９に形成された後記する各突条２７の頂点と接する仮想平面Ｐ１（図１（ａ）に鎖線で図示）に対してほぼ直角に近い角度で出射面１９の方向に全反射させる角度に形成されている。溝２６は、採光面２６ａが仮想平面Ｐ１と平行な平面と成す角度θ１が例えば３５度〜５０度、好ましくは４０度〜４５度の範囲の所定の角度に、傾斜面２６ｂが仮想平面Ｐ１と平行な平面と成す角度θ２が例えば０．３度〜２．５度の範囲の所定の角度に形成されている。
【００２０】
採光部２１は、板厚ｔが仮想端面２１ａ側から対向面２１ｂ側に向かって次第に小さくなるように形成されている。ここでの板厚ｔは、各溝２６の最深部から出射面までの距離（厳密には、突条２７の基端を含む面までの距離）で定義される。そして、この実施形態では板厚ｔは、指数関数的に減少し、次式の関数Ｆにおいて、ｎ＝１．５としたときに図２（ｂ）に示す初期板厚ｔ０等が次式を満たすように設定されている。
【００２１】
関数Ｆ：板厚（ｔ）＝ｔ０−（ｔ０−ｔｅ）（Ｌｉ／Ｌ）ｎ…（１）
但し、ｔ０：初期板厚、ｔｅ：最終板厚、Ｌｉ：仮想端面から溝までの距離、Ｌ：導光板長さである。
【００２２】
出射面１９には、プリズム状の突条２７が採光面２６ａの延びる方向と直交する方向に延びるように、即ち仮想端面２１ａと直交する方向に延びるように複数設けられている。各突条２７は長手方向と直交する切断面での断面形状が二等辺三角形状に形成され、かつ高さが同じに形成されている。各突条２７は端面が仮想平面Ｐ１とほぼ垂直になるように形成されている。また、各突条２７は互いに隣接するように形成され、出射面１９は仮想端面２１ａと直交する方向に延びる一対の斜面を有する突条２７が繰り返し形成された構成となっている。突条２７は、頂角Ｋが１３５度〜１５０度の範囲の所定の角度で、ピッチが５０〜３００μｍの範囲の所定の大きさに形成されている。点状光源１５の幅は例えば２．５ｍｍに形成されている。なお、点状光源１５、導入部１８、溝２６及び突条２７等の大きさの比は、図示の都合上実際とは異なっている。また、図示の都合上、図１（ｂ）及び図２では突条２７の図示を省略している。
【００２３】
次に前記のように構成された面光源装置１３の作用について説明する。
点状光源１５が点灯されると、点状光源１５から出射した光が導入部１８から導光板１４に入射し、入射した光は導光板１４の出射面１９から液晶パネル１２に向かって出射され、拡散シート１７を経て液晶パネル１２に入射される。そして、液晶表示装置１１の使用者は液晶パネル１２の表示をその出射光により視認する。
【００２４】
導光板１４における作用を詳しく説明すると、点状光源１５から出射した光の大部分は入射部２２に到達する。入射部２２に到達した光のうち一部は、導入部１８の幅方向に延びる面２４と平行な平面２２ａから導入部１８に入射される。導入部１８の幅方向に延びる面２４と平行な平面２２ａから導入部１８に入射された光の多くは、平面２２ａにおいてその進行方向が平面２２ａと垂直な方向に近づくように屈折し、採光部２１に入射する。
【００２５】
一方、入射部２２に到達した光のうち残りの一部は、Ｖ溝２２ｂによって、反射部２３に向けて屈折されて導入部１８に入射される。そして、反射部２３において、その多くは採光部２１の幅方向と垂直な方向に近づくように反射され、反射された光は採光部２１に入射する。採光部２１に入射された光は採光部２１内を導波する。そのうち、採光面２６ａに到達した光は、図２（ｃ）に示すように、出射面１９の方向に全反射し、出射面１９から出射する。
【００２６】
仮想端面２１ａから採光部２１内に入射した光が全て採光面２６ａに向かって直進するとは限らず、採光面２６ａに到達する光には、傾斜面２６ｂや出射面１９で全反射しながら採光部２１内を導波した後、採光面２６ａに到達する光もある。傾斜面２６ｂが仮想端面２１ａ側から対向面２１ｂ側に向かって下降傾斜するように形成されている。そのため、直接採光面２６ａに向かって導波する以外の光が導波を繰り返すうちに、仮想平面Ｐ１と平行な方向に近づき、結果として採光面２６ａで効率良く、出射面１９の方向に全反射させることができる。
【００２７】
点状光源１５から正面に向かって出射された光と、点状光源１５から採光面２６ａに対して斜めに出射された光とを比較すると、後者の方が採光面２６ａで全反射して突条２７内に進んだ後、突条２７の表面から液晶パネル１２に向かって出射される割合が大きい。これは、次の理由による。
【００２８】
点状光源１５から正面に出射された光は、採光面２６ａで仮想平面Ｐ１に略垂直に反射され、点状光源１５から斜めに出射された光は、採光面２６ａで仮想平面Ｐ１に対して斜めに反射される。前者の光は、突条２７の斜面の法線とのなす角が大きいため、突条２７で反射され、内部に導波するものの割合が大きい。後者の光は、突条２７の斜面の法線とのなす角が小さいため、突条２７から外部に出射されるものの割合が大きい。そして、突条２７から外部に出射されるとき、突条２７の斜面における屈折により、後者の光の進行方向は仮想平面Ｐ１と垂直な方向に近づく。
【００２９】
このため、点状光源１５から斜めの方向では、突条２７が存在する場合には、出射面１９の正面に出射する光の割合が大きくなり、突条２７が存在しない場合には、出射面１９の正面に出射する光の割合が小さくなる。反対に、点状光源１５の正面方向では、突条２７が存在する場合には、出射面１９の正面に出射する光の割合が小さくなり、突条２７が存在しない場合には、出射面１９の正面に出射する光の割合が大きくなる。
【００３０】
そのため、点状光源１５の指向性と関連して、突条２７の頂角Ｋ、Ｖ溝２２ｂの頂角α、反射部２３の角度γの値やＶ溝２２ｂの開放端の幅Ｍと、Ｖ溝２２ｂのピッチＰとの比Ｍ／Ｐが出射面１９から出射される光の輝度や輝度ムラに大きく影響する。また、反射部２０の形状も前記輝度や輝度ムラに影響を与える。
【００３１】
本願発明者らは、光学シミュレーションにより、突条２７の頂角Ｋ、Ｖ溝２２ｂの頂角α、反射部２３の角度γ、Ｖ溝２２ｂの幅ＭとピッチＰとの比Ｍ／Ｐが前記特定の組合せの場合に、面光源装置１３において、輝線の発生を抑制するとともに点状光源１５から導光板１４に入射された入射光の利用率を高めることを見いだした。
【００３２】
シミュレーションは図２（ａ），（ｂ）に示すように、４個の点状光源１５を備え、出射面１９と反対側の面に鋸歯状の溝２６を備えた導光板１４において、輝線輝度比及び中心輝度に対する、突条２７の頂角Ｋ、Ｖ溝２２ｂの頂角α、反射部２３の角度γ、Ｖ溝２２ｂの幅ＭとピッチＰとの比Ｍ／Ｐを変更して行った。結果を表１〜表４及び図４〜図７に示す。
【００３３】
なお、図２（ａ）〜（ｃ）及び図１（ｂ）に示す導光板１４及び点状光源１５の各部の値を次のように設定した。
導光板長さ：Ｌ＝５６ｍｍ、導光板幅：Ｗ＝５６ｍｍ、導入部の長さ：Ｌ２＝５．６ｍｍ、導入部の基端幅：Ｗ２＝１４ｍｍ、突条のピッチ＝２５０μｍ、導光板の初期板厚：ｔ０＝０．９６ｍｍ、導光板の最終板厚：ｔｅ＝０．４ｍｍ、点状光源の幅＝２．５ｍｍ、点状光源の長さ＝１．０ｍｍ、鋸歯長さ：Ｌ３＝０．２４ｍｍ、採光面の角度：θ１＝４３度、傾斜面の角度：θ２＝０．７度。
【００３４】
【表１】
2005347208.tif 000003
【００３５】
【表２】
2005347208.tif 000004
【００３６】
【表３】
2005347208.tif 000005
【００３７】
【表４】
2005347208.tif 000006
表１はＶ溝２２ｂの頂角αを６０度に設定し、突条２７（縦プリズム）の頂角Ｋ、反射部２３の角度γ、Ｖ溝２２ｂの開放端の幅ＭのピッチＰに対する割合を％として表したβ（＝（Ｍ／Ｐ）×１００）を変更した場合の輝線輝度比の値を示し、図４（ａ），（ｂ），（ｃ）はそれらをグラフに表したものである。表２は同じく中心輝度の値を示し、図５（ａ），（ｂ），（ｃ）はそれらをグラフに表したものである。
【００３８】
表３は反射部２３の角度γを３０度に設定し、突条２７の頂角Ｋ、Ｖ溝２２ｂの頂角α、Ｖ溝２２ｂの開放端の幅ＭのピッチＰに対する割合を％として表したβ（＝（Ｍ／Ｐ）×１００）を変更した場合の輝線輝度比の値を示し、図６（ａ），（ｂ），（ｃ）はそれらをグラフに表したものである。表４は同じく中心輝度の値を示し、図７（ａ），（ｂ），（ｃ）はそれらをグラフに表したものである。
【００３９】
なお、輝線輝度比とは、出射面１９の輝度ムラの最も大きな箇所、一般に採光部２１の仮想端面２１ａからの距離が導光板長さＬの２〜３割の位置において、導光板１４の幅方向における各点の輝度を測定した際の、輝度の極大値と極小値との比を意味する。即ち、図３に示すように、導光板１４の幅方向の端部からの距離を横軸ｘとし、輝度を縦軸にして測定値を表示すると、輝度は極大値と極小値を有するように変化するので、その極大値Ａと極小値Ｂとの比Ａ／Ｂが輝線輝度比となる。輝線輝度比の値が１に近いほど輝度ムラが小さいことを意味する。そして、輝線輝度比が１．１未満であれば実用上問題とならない。また、中心輝度は、出射面１９の輝度の最大値を１としたときの中心部の輝度の相対値を表す。そして、中心輝度が０．７未満では突条２７による輝度向上効果がないと見なせる。
【００４０】
表１，２及び図４，５から、Ｖ溝２２ｂの頂角αを６０度に設定した場合、反射部２３の角度γが１５度〜４５度、突条２７の頂角Ｋが１３５度〜１５０度、Ｖ溝２２ｂの開放端の幅ＭのピッチＰに対する割合βが３０％〜７０％の範囲の組み合わせで、輝線が実用上問題とならず、突条２７の輝度向上効果が得られることが確認できる。また、βが５０％〜７０％のときには、輝度ムラがより小さくなる。
【００４１】
表３，４及び図６，７から、反射部２３の角度γを３０度に設定した場合、Ｖ溝２２ｂの頂角αが６０度〜９０度、突条２７の頂角Ｋが１３５度〜１５０度、Ｖ溝２２ｂの開放端の幅ＭとピッチＰとの割合βが３０％〜７０％のときに、輝線が実用上問題とならず、突条２７の輝度向上効果があることが確認できる。
【００４２】
また、表１〜４及び図４〜７から、突条２７の頂角Ｋが大きくなると輝度ムラが小さくなり、突条２７の頂角Ｋが小さくなると中心輝度が高くなることが確認できる。
この実施形態では以下の効果を有する。
【００４３】
（１）導光板１４は、入射された光を拡散させる導入部１８と、導入部１８に連続して形成され、導入部１８から導入された光を出射する出射面１９及び出射面１９の反対側に形成された反射部２０を有する板状の採光部２１とを備えている。出射面１９には採光部２１の導入部１８側の仮想端面２１ａと直交する方向に延びるとともに頂角が１３５度〜１５０度のプリズム状の突条２７が複数設けられている。従って、拡散ドットを使用して点状光源１５から出射された光の指向性を緩和する構成に比較して、出射面１９からの出射光の集光性が高められる。
【００４４】
（２）導入部１８は、光の入射側から採光部２１側に向かって拡がる対称形状に形成されるとともにその両側面が端面と直交する面との成す角度γが１５度〜４５度に形成され、導入部１８の点状光源１５と対向する面は頂角αが６０度〜９０度のＶ溝２２ｂが形成されている。そして、Ｖ溝２２ｂの開放端の幅Ｍと、隣接するＶ溝２２ｂのピッチＰとの比Ｍ／Ｐが０．３〜０．７、即ちＭ／Ｐの割合βが３０％〜７０％に形成されている。従って、点状光源１５からの光が、導入部１８によって適度に拡散されるため、複数の点状光源１５の間と対応する箇所に暗部ができたり、逆に点状光源１５の正面に明部ができたりすることが抑制され、導光板１４から出射される光の点状光源１５近傍に発生する輝度ムラが低減する。そして、プリズム状の突条２７の頂角Ｋを１３５度〜１５０度とする構成を加えることで、複数の点状光源１５から出射された光を入射するとともに、面状に変換して出射する導光板１４を備えた面光源装置１３において、輝線の発生を抑制するとともに点状光源１５から導光板１４に入射された入射光の利用率を高めることができる。
【００４５】
（３）前記比Ｍ／Ｐを０．５〜０．７、即ち割合βを５０％〜７０％にすることにより、輝線が目立たずに輝度を高めるのが容易になる。
（４）採光部２１はプリズム状の突条２７が一体に形成されている。従って、プリズムシートを用いる必要がないため、面光源装置１３を構成する部品点数が少なくなって、組立工数を低減でき、製造コストを低減できる。導光板１４に突条２７を形成する必要があるが、導光板１４は金型を使用して射出成形等で製造されるため、金型のコストが多少高くなるが、多数の導光板１４を製造することにより、一枚当たりの導光板１４の製造コストは、突条２７を設けない導光板の製造コストと、プリズムシートの単価との合計より低くできる。
【００４６】
（５）採光部２１の裏面には、仮想端面２１ａに沿って延びるとともに導入部１８から入射された光を出射面１９から出射する方向に反射させる採光面２６ａを構成する溝２６が複数形成されている。従って、裏面にドットを設ける場合に比較して、出射面１９から出射される光の向きのばらつきを小さくすることができる。
【００４７】
（６）採光部２１の裏面に形成される溝２６が、反射部２０の断面形状が鋸歯状で、導光板１４の板厚ｔが、仮想端面２１ａ側から対向面２１ｂ側に指数関数的に減少するように形成されているため、採光部２１に入射した光をより効率良く、かつ出射面１９全体でのばらつきを抑制した状態で出射面１９から出射させることができる。また、板厚ｔが、前記関数Ｆでｎ＝１．５としたときの各部の値を満たすように設定されている場合は、より効率良く、かつ出射面１９全体でのばらつきを抑制した状態で出射面１９から出射させることができる。
【００４８】
（７）面光源装置１３は拡散シート１７を備えている。従って、導光板１４において輝線が完全には防止できない場合でも、導光板１４から出射された光が拡散シート１７を通過して液晶パネル１２に入射する際には、輝線を肉眼で判別できない状態にすることができる。
【００４９】
実施の形態は前記に限定されるものではなく、例えば、次のように具体化してもよい。
○  入射部２２に形成される複数のＶ溝２２ｂの開放端の幅Ｍ及びＶ溝２２ｂのピッチＰの値は同じに限らず異なる値のＶ溝２２ｂが混在してもよい。その場合は、幅ＭのピッチＰに対する割合β％を算出する際に、平均値で算出し、平均値が３０％〜７０％、好ましくは５０％〜７０％であればよい。
【００５０】
○  突条２７は断面が二等辺三角形状のプリズムに限らず、プリズム状であればよい。ここでプリズム状とは、断面が二等辺三角形状のプリズム及び該プリズムに近い形状を意味し、例えば、図８（ａ）に示すように、断面二等辺三角形状のプリズムの二つの斜面２７ａの基部側が曲面に形成された形状や、図８（ｂ）に示すように、断面二等辺三角形のプリズムの頂角の部分が曲面に形成された形状としてもよい。図８（ｂ）に示す突条２７の場合、頂角Ｋは二つの斜面２７ａの平面部分が成す角度となる。これらの突条２７を設けた場合も、三角プリズムで構成された突条２７を設けた場合とほぼ同様な効果が得られる。
【００５１】
○  プリズム状には、図８（ｃ），（ｄ）に示すように、二つの斜面２７ａ全体が曲面で構成された形状も含む。図８（ｃ）に示すシリンドリカルな突条２７では、長手方向と直交する断面において、突条２７の基端の両側における２本の接線ＣＬの成す角度が頂角Ｋとなり、図８（ｄ）に示す逆シリンドリカルな突条２７では、長手方向と直交する断面において、隣接する突条２７の頂部における接線ＣＬの成す角度が頂角Ｋとなる。これらの突条２７を設けた場合も、三角プリズムで構成された突条２７を設けた場合とほぼ同様な効果が得られる。
【００５２】
○  突条２７は採光部２１、即ち導光板１４と一体に形成されている構成に限らない。例えば、プリズム状の突条２７が所定ピッチで形成されたプリズムシートを採光部２１の出射面１９に接着剤で接着してもよい。接着剤には、透明な紫外線硬化型接着剤や高分子系接着剤等が使用される。また、プリズムシートを採光部２１の出射面１９に接着剤で接着せずに、出射面１９上に載置する構成としてもよい。
【００５３】
○  採光部２１は、板厚ｔがマクロ的に見て仮想端面２１ａ側から対向面２１ｂ側に向かって次第に薄くなるほぼ楔状に限らず、マクロ的に見て一定な形状としてもよい。
○  採光部２１の出射面１９と反対側に設けられる反射部２０は、採光面２６ａと傾斜面２６ｂとが交互に連続する鋸歯状の溝２６を備えた構成に限らず、導入部１８から入射されて板厚方向と直交する方向に進む光を出射面１９に向けて全反射させる斜面を備えた構成であればよい。例えば、仮想端面２１ａと平行に延びるＶ溝や断面直角三角形状の溝が複数平行に形成された構成や、出射面１９と反対側の面に円錐状あるいは角錐状の凹部を設けることで形成された複数のマイクロレンズを備えた構成としてもよい。
【００５４】
〇  面光源装置１３において拡散シート１７を省略してもよい。拡散シート１７を設ける方が、面光源装置１３の出射面全体の輝度ムラを低くすることができる。しかし、面光源装置１３が使用される表示装置に要求される表示部の精細度によっては、拡散シート１７を省略しても、輝度ムラが気にならない状態に抑制できる。
【００５５】
○  導光板１４に使用される材料としては、透明で成形型を使用して加工をすることができるものが好ましく、例えば、アクリル樹脂に限らず、ポリカーボネート、ポリスチレン、ＭＳ樹脂（メタクリルスチレン樹脂）、シクロオレフィン樹脂等が使用される。
【００５６】
○  導光板１４をガラス板で形成してもよい。しかし、ガラス板に突条２７や溝２６等をエッチングで加工するのはコストが高くなる。
○  面光源装置１３はバックライト用に限らず、他の照明装置やディスプレイ装置の発光源として使用してもよい。
【００５７】
以下の技術的思想（発明）は前記実施の形態から把握できる。
（１）請求項１〜請求項４のいずれか一項に記載の発明において、前記採光部は反射部として、採光部の入射側仮想端面と平行に延びるとともに前記入射された光を前記出射面から出射する方向に反射させる採光面を構成する溝が複数形成されている。
【００５８】
（２）前記技術的思想（１）に記載の発明において、前記採光部における導光板の各溝の最深部から前記出射面まで距離としての板厚ｔが、前記仮想端面側から対向面側へと指数関数的に単調減少するように設定されている。
【００５９】
（３）入射された光を拡散させる導入部と、前記導入部に連続して形成され、前記導入部から導入された光を出射する出射面及び出射面の反対側に形成された反射部を有する板状の採光部とを備え、前記出射面には前記採光部の導入部側の仮想端面と直交する方向に延びるとともに頂角が１３５度〜１５０度のプリズム状の突条が複数設けられ、前記導入部は、光の入射側から前記採光部側に向かって拡がる対称形状に形成されるとともにその両側面が前記仮想端面と直交する面との成す角度が１５度〜４５度に形成され、前記導入部の前記点状光源と対向する面には導光板の厚さ方向に延びる複数のＶ溝が形成され、前記Ｖ溝は頂角が６０度〜９０度、開放端の幅Ｍと隣接するＶ溝のピッチＰとの比Ｍ／Ｐが０．３〜０．７に形成されている導光板。
【図面の簡単な説明】
【００６０】
【図１】（ａ）は一実施形態の導光板と点状光源の関係を示す模式斜視図、（ｂ）は導入部と点状光源の関係を示す模式平面図、（ｃ）は液晶表示装置の模式図。
【図２】（ａ）は導光板の模式平面図、（ｂ）は模式側面図、（ｃ）は採光部の部分模式側面図。
【図３】輝線輝度比の求め方を示すグラフ。
【図４】（ａ）〜（ｃ）は輝線輝度比とプリズム状突条の頂角との関係を示すグラフ。
【図５】（ａ）〜（ｃ）は中心輝度とプリズム状突条の頂角との関係を示すグラフ。
【図６】（ａ）〜（ｃ）は輝線輝度比とプリズム状突条の頂角との関係を示すグラフ。
【図７】（ａ）〜（ｃ）は中心輝度とプリズム状突条の頂角との関係を示すグラフ。
【図８】（ａ）〜（ｄ）は突条の別の実施形態を示す模式図。
【図９】従来技術の面光源装置の分解模式斜視図。
【符号の説明】
【００６１】
α，Ｋ…頂角、γ，θ１，θ２…角度、Ｍ…幅、Ｐ…ピッチ、１３…面光源装置、１４…導光板、１５…点状光源、１８…導入部、１９…出射面、２０…反射部、２１…採光部、２１ａ…仮想端面、２２ｂ…Ｖ溝、２３…側面としての反射部、２４…面、２７…突条。
【図１】
2005347208.tif 000007
【図２】
2005347208.tif 000008
【図３】
2005347208.tif 000009
【図４】
2005347208.tif 000010
【図５】
2005347208.tif 000011
【図６】
2005347208.tif 000012
【図７】
2005347208.tif 000013
【図８】
2005347208.tif 000014
【図９】
2005347208.tif 000015